(57)【要約】【課題】空気調和機の室内機の高さ方向の寸法を小さくすると共に、送風ファンの後方を覆う熱交換器を通る空気の量を十分に確保する。【解決手段】空気調和機の室内機２では、上部ケーシング６は、天面の前側から後側にかけて設けられた天面吸込み口６０１を有する。クロスフローファン７１は、天面吸込み口６０１から吸い込まれる空気の流れを生成する。室内熱交換器５０は、クロスフローファン７１を覆うように略逆Ｖ字型の断面形状を有するように形成され、クロスフローファン７１の前方を覆う第３室内熱交換器５０ｃと、クロスフローファン７１の後方を覆う第４室内熱交換器５０ｄとを有する。そして、第３室内熱交換器５０ｃの下端は、クロスフローファン７１の頂上部分の高さ以下に位置している。また、第４室内熱交換器５０ｄの下端は、クロスフローファン７１の頂上部分の高さ以下であり且つクロスフローファン７１の底部より上方に位置している。【選択図】図５
2008180506.tif 000002
【特許請求の範囲】
【請求項１】
天面の前側から後側にかけて設けられた天面吸込み口（６１１）を有するケーシング（６）と、
前記天面吸込み口（６１１）から吸い込まれる空気の流れを生成する送風ファン（７１）と、
前記送風ファン（７１）を覆うように略逆Ｖ字型の断面形状を有するように形成され、前記送風ファン（７１）の前方を覆う前部（５０ｃ）と、前記送風ファン（７１）の後方を覆う後部（５０ｄ）とを有する熱交換器（５０）と、
を備え、
前記前部（５０ｃ）の下端は、前記送風ファン（７１）の頂上部分の高さ以下に位置しており、
前記後部（５０ｄ）の下端は、前記送風ファン（７１）の頂上部分の高さ以下であり且つ前記送風ファン（７１）の底部より上方に位置している、
空気調和機（１）の室内機（２）。
【請求項２】
前記前部（５０ｃ）の下端は、前記送風ファン（７１）の頂上部分の高さ以下であり且つ前記送風ファン（７１）の底部より上方に位置している、
請求項１に記載の空気調和機（１）の室内機（２）。
【請求項３】
前記前部（５０ｃ）の下端および前記後部（５０ｄ）の下端は、前記送風ファン（７１）の回転中心と同じ高さに位置している、
請求項１または２に記載の空気調和機（１）の室内機（２）。
【発明の詳細な説明】
【技術分野】
【０００１】
本発明は、空気調和機の室内機に関する。
【背景技術】
【０００２】
空気調和機の室内機には、熱交換器と、送風ファンと、吸込み口を有するケーシングとを備えるものがあり、送風ファンによって吸込み口から吸い込まれた空気が熱交換器を通る。この熱交換器は、逆Ｖ字型の断面形状を有するものが近年よく利用されており、送風ファンの前方、上方および後方を覆うように配置される。そして、このような逆Ｖ字型の断面形状を有する熱交換器は、その下端が送風ファンの頂上部分の高さ以下に位置するように配置されることがある（特許文献１参照）。これにより、熱交換器の配置を低くすることができ、室内機の高さ方向の寸法を小さくすることができる。
【特許文献１】特開２００２−１９５５９５号公報（第２図）
【発明の開示】
【発明が解決しようとする課題】
【０００３】
しかし、熱交換器の下端が送風ファンの頂上部分の高さ以下に位置する場合、熱交換器の部分のうち送風ファンの後方を覆う部分を通る空気の量が少なくなる恐れがある。すなわち、空気調和機の室内機の背面は室内の壁面に面することが多く、室内機の背面に吸込み口を設けても十分に空気を吸い込むことは困難である。このため、送風ファンの後方を覆う熱交換器を通る空気の量を十分に確保することが困難となる。そして、送風ファンの後方を覆う熱交換器を通る空気の量を十分に確保することができない場合は、熱交換器の効率が低下する恐れもある。
【０００４】
本発明の課題は、空気調和機の室内機の高さ方向の寸法を小さくすると共に、送風ファンの後方を覆う熱交換器を通る空気の量を十分に確保することにある。
【課題を解決するための手段】
【０００５】
請求項１に記載の空気調和機の室内機は、ケーシングと送風ファンと熱交換器とを備える。ケーシングは、天面の前側から後側にかけて設けられた天面吸込み口を有する。送風ファンは、天面吸込み口から吸い込まれる空気の流れを生成する。熱交換器は、送風ファンを覆うように略逆Ｖ字型の断面形状を有するように形成され、送風ファンの前方を覆う前部と、送風ファンの後方を覆う後部とを有する。そして、前部の下端は、送風ファンの頂上部分の高さ以下に位置している。また、後部の下端は、送風ファンの頂上部分の高さ以下であり且つ送風ファンの底部より上方に位置している。
【０００６】
この空気調和機の室内機では、熱交換器が送風ファンを覆うように略逆Ｖ字型の断面形状を有するように形成されている。そして、熱交換器の前部と後部とが、送風ファンの頂上部分の高さ以下に位置し、且つ、後部が送風ファンの底部より上方に位置している。このため、熱交換器の高さ位置を低くすることができ、空気調和機の室内機の高さ方向の寸法を小さくすることができる。また、天面吸込み口から十分に吸い込まれた空気が熱交換器の後部まで行き届き、後部を通る空気の量を十分に確保することができる。以上のように、空気調和機の室内機の高さ方向の寸法を小さくすると共に、送風ファンの後方を覆う熱交換器を通る空気の量を十分に確保することができる。
【０００７】
請求項２に記載の空気調和機の室内機は、請求項１に記載の空気調和機の室内機であって、前部の下端は、送風ファンの頂上部分の高さ以下であり且つ送風ファンの底部より上方に位置している。
【０００８】
この空気調和機の室内機では、前部を通る空気の量を十分に確保することができる。
【０００９】
請求項３に記載の空気調和機の室内機は、請求項１または２に記載の空気調和機の室内機であって、前部の下端および後部の下端は、送風ファンの回転中心と同じ高さに位置している。
【００１０】
この空気調和機の室内機では、前部と後部との下端は、送風ファンの回転中心と同じ高さに位置している。このため、熱交換器の高さ位置を低くすることができ、空気調和機の室内機の高さ方向の寸法を小さくすることができる。
【発明の効果】
【００１１】
本発明に係る空気調和機の室内機では、熱交換器が送風ファンを覆うように略逆Ｖ字型の断面形状を有するように形成されている。また、熱交換器の前部と後部とが、送風ファンの頂上部分の高さ以下に位置し、且つ、後部が送風ファンの底部より上方に位置している。このため、熱交換器の高さ位置を低くすることができ、空気調和機の室内機の高さ方向の寸法を小さくすることができる。また、天面吸込み口から十分に吸い込まれた空気が熱交換器の後部まで行き届き、後部を通る空気の量を十分に確保することができる。以上のように、空気調和機の室内機の高さ方向の寸法を小さくすると共に、送風ファンの後方を覆う熱交換器を通る空気の量を十分に確保することができる。
【発明を実施するための最良の形態】
【００１２】
〔空気調和機の全体構成〕
本発明の一実施形態が採用された空気調和機１の外観を図１に示す。
【００１３】
この空気調和機１は、室内の壁面などに取り付けられる室内機２と、室外に設置される室外機３とを備えている。
【００１４】
室内機２内には室内熱交換器５０が収納され、室外機３内には室外熱交換器３０が収納されており、各熱交換器３０，５０が冷媒配管４により接続されることにより冷媒回路を構成している。
【００１５】
〔空気調和機の冷媒回路の構成概略〕
空気調和機１の冷媒回路の構成を図２に示す。この冷媒回路は、主として室内熱交換器５０、アキュムレータ３１、圧縮機３２、四路切換弁３３、室外熱交換器３０および電動膨張弁３４で構成される。
【００１６】
室内機２に設けられている室内熱交換器５０は、接触する空気との間で熱交換を行う。また、室内機２には、室内空気を吸い込んで室内熱交換器５０に通し熱交換が行われた後の空気を室内に排出するためのクロスフローファン７１が設けられている。このクロスフローファン７１は、長細い円筒形状に構成され、中心軸が水平方向に平行になるように配置されている。クロスフローファン７１は、室内機２内に設けられる室内ファンモータ７２によって回転駆動される。室内機２の詳細な構成については後に説明する。
【００１７】
室外機３には、圧縮機３２と、圧縮機３２の吐出側に接続される四路切換弁３３と、圧縮機３２の吸入側に接続されるアキュムレータ３１と、四路切換弁３３に接続された室外熱交換器３０と、室外熱交換器３０に接続された電動膨張弁３４とが設けられている。電動膨張弁３４は、フィルタ３５および液閉鎖弁３６を介して配管４１に接続されており、この配管４１を介して室内熱交換器５０の一端と接続される。また、四路切換弁３３は、ガス閉鎖弁３７を介して配管４２に接続されており、この配管４２を介して室内熱交換器５０の他端と接続されている。この配管４１，４２は、図１の冷媒配管４に相当する。また、室外機３には、室外熱交換器３０での熱交換後の空気を外部に排出するためのプロペラファン３８が設けられている。このプロペラファン３８は、室外ファンモータ３９によって回転駆動される。
【００１８】
〔室内機の構成〕
図３（ａ）に室内機２の正面図、図３（ｂ）に室内機２の側面図を示す。室内機２は、正面視に置いて横方向に長い形状を有しており、正面視および側面視において上下に色彩が分かれたツートンカラーとなっている。
【００１９】
室内機２は、主として、上部ケーシング６、下部ユニット７および室内機２の内部に収容されている室内熱交換器ユニット５によって構成されている。上部ケーシング６は、室内機２の上部を覆っている。下部ユニット７は室内機２の下部を構成している。上部ケーシング６と下部ユニット７とは別体に形成されており、上部ケーシング６と下部ユニット７の一部との境界が室内機２の外観において水平線として現れている。また、上部ケーシング６と下部ユニット７の一部とは異なる色となっており、上部ケーシング６と下部ユニット７との境界である水平線を境にして上下に異なる色のツートンカラーとなっている。
【００２０】
以下、室内機２の各構成について説明する。
【００２１】
〈室内熱交換器ユニット〉
室内熱交換器ユニット５は、図４に示すように、室内熱交換器５０、補助配管５１、補助支持部材５２等によって構成されている。なお、図４は、上部ケーシング６が取り外された状態の室内機２の右側面図である。
【００２２】
図５に室内機２の側面断面図を示す。
【００２３】
室内熱交換器５０は、クロスフローファン７１の前方、上方および後方を取り囲むように取り付けられており、クロスフローファン７１が回転することにより吸込み口６０１，６１１から吸い込まれた空気をクロスフローファン７１側に通過させ、伝熱管の内部を通過する冷媒との間で熱交換を行わせる。室内熱交換器５０は、第１室内熱交換器５０ａ、第２室内熱交換器５０ｂ、第３室内熱交換器５０ｃ、第４室内熱交換器５０ｄの４つの部分に分割されている。室内熱交換器５０は、各室内熱交換器５０ａ，５０ｂ，５０ｃ，５０ｄがそれぞれ接合されることにより、側面視において両端が下方に向けて屈曲する概ね逆Ｖ字型の断面形状を有するように形成されている。
【００２４】
各室内熱交換器５０ａ，５０ｂ，５０ｃ，５０ｄは、それぞれ水平方向に長い板状の形状を有している。各室内熱交換器５０ａ，５０ｂ，５０ｃ，５０ｄは、両側端で複数回折り返されてなる伝熱管と、伝熱管が挿通される短冊状の複数のフィンとから構成されている。伝熱管は、各室内熱交換器５０ａ，５０ｂ，５０ｃ，５０ｄの両側端においてＵ字型伝熱管によって折り返されている。
【００２５】
第１室内熱交換器５０ａは、上端が室内機２の前方へ向けて傾斜しており、クロスフローファン７１の中央上方から後側上方を覆うように配置されている。
【００２６】
第２室内熱交換器５０ｂは、上端が室内機２の後方へ向けて傾斜しており、第１室内熱交換器５０ａの前方に配置されている。第２室内熱交換器５０ｂの上端は、第１室内熱交換器５０ａの上端と接合されており、第１室内熱交換器５０ａと第２室内熱交換器５０ｂとは、側面視において逆Ｖ字型になるように組み合わされている。第２室内熱交換器５０ｂは、クロスフローファン７１の中央上方から前側上方を覆うように配置されている。
【００２７】
第３室内熱交換器５０ｃは、第２室内熱交換器５０ｂの下方にクロスフローファン７１の前方を覆うように配置されている。第３室内熱交換器５０ｃの上端は第２室内熱交換器５０ｂの下端に角度を付けて接合されており、第３室内熱交換器５０ｃと第２室内熱交換器５０ｂとによって鈍角が形成されている。第３室内熱交換器５０ｃは、高さ方向、すなわち鉛直方向に平行になっており、室内熱交換器５０の下方の水平面を覆う下部ユニット７に対して垂直になっている。また、第３室内熱交換器５０ｃの下端は室内熱交換器５０の下端となっており、第３室内熱交換器５０ｃの下端、すなわち室内熱交換器５０の前側の下端は、クロスフローファン７１の中心軸と略同じ高さに位置している。
【００２８】
第４室内熱交換器５０ｄは、第１室内熱交換器５０ａの下方にクロスフローファン７１の後方を覆うように配置されている。第４室内熱交換器５０ｄの上端は、第１室内熱交換器５０ａの下端に角度を付けて接合されており、第４室内熱交換器５０ｄと第１室内熱交換器５０ａとによって鈍角が形成されている。第４室内熱交換器５０ｄは、高さ方向に平行になっており、室内熱交換器５０の下方の水平面を覆う下部ユニット７に対して垂直になっている。また、第４室内熱交換器５０ｄの下端は、室内熱交換器５０の後側の下端となっており、第４室内熱交換器５０ｄの下端、すなわち室内熱交換器５０の後側の下端は、クロスフローファン７１の中心軸と略同じ高さに位置している。
【００２９】
第３室内熱交換器５０ｃと第４室内熱交換器５０ｄとは高さ方向に同じ長さを有しており、第３室内熱交換器５０ｃと第４室内熱交換器５０ｄとの上端および下端は同じ高さに位置している。従って、室内熱交換器５０の前側の下端と後側の下端とは同じ高さになっており、クロスフローファン７１の中心軸と略同じ高さに位置している。また、室内熱交換器５０の前側下端と後側下端とは、逆Ｖ字型の部分の前後の下端から鉛直方向下向きにクロスフローファン７１の中心軸と略同じ高さまで伸びている。
【００３０】
第１室内熱交換器５０ａ、第２室内熱交換器５０ｂ、第３室内熱交換器５０ｃおよび第４室内熱交換器５０ｄは、それぞれ両側端（正面視における左右方向の端）に設けられた固定板によって相互に固定されることにより、一体に接合されて室内熱交換器５０を形成している。室内熱交換器５０は、第１室内熱交換器５０ａと第２室内熱交換器５０ｂとによって形成される逆Ｖ字型の部分と、第１室内熱交換器５０ａと第２室内熱交換器５０ｂとのそれぞれの下端から鉛直方向下向きに延びる直線部分とが組合された断面形状を有している。室内熱交換器５０は、逆Ｖ字型の頂点を通る鉛直方向に平行な直線について前後に線対称な断面形状を有しており、第１室内熱交換器５０ａと第２室内熱交換器５０ｂとが、また、第３室内熱交換器５０ｃと第４室内熱交換器５０ｄとが前後に対称になっている。室内熱交換器５０は、側面視においては上記のように前後対称な逆Ｖ字型を含む断面形状に形成されているが、正面視においては横方向に長い形状を有している。
【００３１】
補助配管５１は、室内熱交換器５０と、室内機２の外部にある冷媒配管４を繋いでおり、室内熱交換器５０と室外熱交換器３０との間を行き来する冷媒が流れる。補助配管５１は、図４および図６に示すように、室内熱交換器５０の伝熱管に接続されている。なお、図６は、上部ケーシング６が取り外された室内機２の右側部分の上面図である。補助配管５１は、室内熱交換器５０の右側面から突出しており、室内熱交換器５０の右側の空間で取り回されている。補助配管５１は、室内熱交換器５０の右側面から突出した後に室内機２の背面側へ向けて屈曲されており、複数の補助配管５１がまとめられて保護チューブ５３によって覆われている。まとめられた補助配管５１は、室内熱交換器５０の右側の空間を室内機２の背面側に沿って下方へと伸び、室内機２の後側下部の空間で室内機２の左側面に向けてさらに屈曲され、冷媒配管４に接続されている。
【００３２】
補助支持部材５２は、室内熱交換器５０の両側面付近に設けられており、図４に示すように、室内熱交換器５０を内側から支持している。室内熱交換器ユニット５は、逆Ｖ字型の形状を有しており下方が開口しているため、クロスフローファン７１や室内ファンモータ７２が取り付けられた状態の下部ユニット７に上方から被せられ、補助支持部材５２を介して下部ユニット７に支持される。
【００３３】
〈上部ケーシング〉
上部ケーシング６は、図３および図５に示すように、室内機２の上部を構成しており、上前面部６０、天面部６１および上側面部６２，６３によって構成されている。
【００３４】
上前面部６０は、室内機２の前側上部を覆っており、室内熱交換器５０の前方を覆っている。上前面部６０は、概ね平坦に形成されており、その一部に段差が設けられている。この段差の上面には室内機２の長手方向に長いスリット状の開口からなる前面吸込み口６０１が設けられている。前面吸込み口６０１は室内機２の上方へ向けて設けられている。
【００３５】
天面部６１は、室内機２の天面を覆っており、室内熱交換器５０の上方を覆っている。天面部６１には、複数のスリット状の開口からなる天面吸込み口６１１が設けられている。この天面吸込み口６１１は、天面部６１の前側から後側にかけて設けられており、前面吸込み口６０１よりも吸い込み面積が大きくなっている。このため、室内機２の天面後側からも十分に空気が吸い込まれるようになっている。
【００３６】
上側面部６２，６３は、室内機２の側面上部を覆っており、室内熱交換器５０の側方を覆っている。上側面部６２，６３には、右上側面部６２と左上側面部６３とがあり、右上側面部６２は正面視において室内熱交換器５０の右側方に配置され、左上側面部６３は室内熱交換器５０の左側方に配置されている。
【００３７】
また、上部ケーシング６の下端は水平に形成されており、上部ケーシング６が下部ユニット７に被せられることによって、上部ケーシング６と下部ユニット７との境界が水平線となって室内機２の正面視および側面視における外観に現れる。
【００３８】
〈下部ユニット〉
下部ユニット７は、室内機２の下部を構成しており、図７および図８に示すように、下部ケーシング７０、クロスフローファン７１、室内ファンモータ７２、電装品箱７３等がモジュール化されて構成されている。
【００３９】
（下部ケーシング）
下部ケーシング７０は、下前面部７４、底面部７５、下側面部７６，７７、支持部７８等によって構成されており、上部ケーシング６とは異なる色となっている。
【００４０】
下前面部７４は、正面視において室内機２の前面下部として視野に現れる部分であり、上端が室内機２の前側に傾斜するように配置されている。図３（ａ）に示すように、下前面部７４の上端は水平に形成されており、上部ケーシング６の下端と共に水平な境界線を構成している。また、下前面部７４には、室内機２の長手方向に沿う開口からなる吹出し口７４１が設けられている。この吹出し口７４１は、図５に示すように、クロスフローファン７１が収納されている支持部７８の内部の空間に連通しており、クロスフローファン７１によって生成された空気流は吹出し口７４１を通って室内へと吹き出す。また、吹出し口７４１には、室内へと吹出す空気が案内される水平フラップ７４２が設けられている。この水平フラップ７４２は、室内機２の長手方向に平行な軸を中心に回動自在に設けられており、フラップモータ（図示せず）によって回転駆動されることにより、吹出し口７４１の開閉を行うことができる。
【００４１】
底面部７５は、室内機２の底面を覆っており、平坦に形成されている。底面部７５は、水平に配置されており、その上に支持部７８が配置されている。
【００４２】
下側面部７６，７７は、側面視において室内機２の側面下部として視野に現れる部分であり、室内機２の側面下部を覆っている。下側面部７６，７７には、右下側面部７６と左下側面部７７とがあり、右下側面部７６は正面視において室内機２の右側に配置され、左下側面部７７は室内熱交換器５０の左側に配置されている。また、下側面部７６，７７の上端は、下前面部７４と同様に水平に形成されている。上部ケーシング６が下部ユニット７に被せられた状態では、上部ケーシング６の下端と、下部ユニット７の下前面部７４および下側面部７６，７７の上端が合致して、水平な境界線が構成される。
【００４３】
支持部７８は、下前面部７４、底面部７５、下側面部７６，７７によって囲まれており、支持部７８の上面は、下前面部７４および下側面部７６，７７の上端より上方に位置している。支持部７８には、上方からクロスフローファン７１、室内ファンモータ７２、電装品箱７３、室内熱交換器ユニット５等が取り付けられ、クロスフローファン７１、室内ファンモータ７２、電装品箱７３、室内熱交換器ユニット５等を下方から支持する。
【００４４】
支持部７８は、室内熱交換器ユニット５の補助支持部材５２を介して室内熱交換器５０を支持する。支持部７８の上面は、クロスフローファンの中心軸と略同じ高さとなっている。支持部７８の上面には、図７に示すように、ドレンパン７８１，７８２とファン収容部７８７とが設けられている。
【００４５】
ドレンパン７８１，７８２は、熱交換時に室内熱交換器５０の表面に発生する水滴を受け取る部分であり、支持部７８の上面から下方に窪んだ凹状の部材によって形成されている。このドレンパン７８１，７８２には前ドレンパン７８１と後ドレンパン７８２とがあり、前ドレンパン７８１は、図５に示すように、第３室内熱交換器５０ｃの下方に、すなわち室内熱交換器５０の前側下端の下方に配置されている。後ドレンパン７８２は、第４室内熱交換器５０ｄ、すなわち室内熱交換器５０の後側下端の下方に配置されている。前ドレンパン７８１と後ドレンパン７８２とは、クロスフローファン７１を挟んで前後に配置されている。前ドレンパン７８１と後ドレンパン７８２とは、略同じ高さに位置しており、前ドレンパン７８１と後ドレンパン７８２との底面はクロスフローファン７１の中心軸の高さよりも低い位置にあるが、室内熱交換器５０の下端に近接して配置されている。なお、前ドレンパン７８１と後ドレンパン７８２とは、それぞれドレン水を受ける底面が室内機２の右側へと少し傾斜している。そして、支持部７８の右側部分には、図８に示すように、前ドレンパン７８１と後ドレンパン７８２とを繋ぐ連通部分７８３が設けられており、この連通部分７８３には下方へと貫通している水抜き孔７８４が設けられている。この水抜き孔７８４は、図９に示すように、ドレン水をドレンパン７８１，７８２から外部へと排出するためのドレンホース７８５の内部と連通している。室内熱交換器５０から滴下したドレン水は、前ドレンパン７８１と後ドレンパン７８２とによって受けられ、連通部分７８３で集められ、水抜き孔７８４からドレンホース７８５を経て機外へと排出される。
【００４６】
ファン収容部７８７は、クロスフローファン７１と室内ファンモータ７２とが収容される部分であり、支持部７８の上面の中央付近に設けられている。ファン収容部７８７は支持部７８の上面から下方に半円筒形状に窪んだ部材により形成されており、クロスフローファン７１と室内ファンモータ７２との下半分を収容する。また、支持部７８の内部には、収容されたクロスフローファン７１と吹出し口７４１とを連通する空気経路が設けられている。
【００４７】
また、支持部７８は、後ドレンパン７８２とクロスフローファン７１との間に、支持部７８の上面から上方へと突出する舌部７８６を有している。この舌部７８６は、クロスフローファン７１の後方を覆っており、舌部７８６の上端はクロスフローファン７１の頂上部分より若干低い高さに位置している。
【００４８】
このように支持部７８の上面には、前ドレンパン７８１、後ドレンパン７８２およびファン収容部７８７が設けられ、舌部７８６が上方へ突出しているが、支持部７８の上面の他の部分は概ね平坦かつ水平に形成されており、クロスフローファン７１の中心線と略同じ高さに位置している。
【００４９】
上記のように、支持部７８の最も高い位置にある部分は舌部７８６であるが、舌部７８６は、クロスフローファン７１の頂上部分の高さ以下に位置している。また、支持部７８の上面は、下前面部７４および下側面部７６，７７の上端より上方に位置している。このため、支持部７８を含めた下部ケーシング７０の各部分はクロスフローファン７１の頂上部分の高さ以下となっている。
【００５０】
なお、支持部７８の上面の背面側もクロスフローファン７１の高さ以下となっているが、上部ケーシング６の天面部６１と支持部７８の上面の背面側との間の部分は、室内の壁面に取り付けられる据付板８によって塞がれる（図５参照）。据付板８は、室内機２の長手方向には室内熱交換器５０と略同じ長さを有しており、室内熱交換器５０の背面側を覆っている。据付板８は、室内機２の背面側を覆うことにより、室内熱交換器５０で熱交換される空気が通る空気流路を上部ケーシング６と共に形成しており、特に背面側空気流路を形成している。
【００５１】
（クロスフローファン）
クロスフローファン７１は、長細い円筒形状に構成され、中心軸が水平になるように配置される。クロスフローファン７１の周面には羽根が設けられており、クロスフローファン７１が中心軸周りに回転することにより、空気流を生成する。この空気流は、前面吸込み口６０１および天面吸込み口６１１から取り入れられ室内熱交換器５０を通り吹出し口７４１から室内へと吹き出す空気の流れである。クロスフローファン７１は、側面視において室内機２の概ね中央に位置している。クロスフローファン７１は、支持部７８によって支持され、支持された状態のクロスフローファン７１の上半分は支持部７８の上面から上方へ突出している。
【００５２】
（室内ファンモータ）
室内ファンモータ７２は、クロスフローファン７１を中心軸周りに回転駆動する。室内ファンモータ７２は、クロスフローファン７１と略同じ直径を有する薄い円筒形状を有している。室内ファンモータ７２は、図８に示すように、クロスフローファン７１の右側方にクロスフローファン７１と同軸に配置されており、室内ファンモータ７２が支持部７８に取り付けられた状態では、室内ファンモータ７２とクロスフローファン７１との頂上部分との高さは略同じとなっている（図７参照）。
【００５３】
（電装品箱）
電装品箱７３は、図６および図８に示すように、室内機２の運転を制御するための制御基板７３１を収容する。電装品箱７３は、直方体の箱状の形状を有しており、下部ケーシング７０の右下側面部７６と支持部７８との間に配置され、室内熱交換器ユニット５の右側方に位置する。電装品箱７３は、室内ファンモータ７２の右側方において支持部７８の右側面に取り付けられて支持されており、室内熱交換器ユニット５が下部ユニット７に取り付けられる前に支持部７８に取り付けることができる。また、電装品箱７３は前側寄りに配置されており、電装品箱７３の後方の空間は前述した室内熱交換器ユニット５の補助配管５１が通る空間となっている。電装品箱７３は、制御基板７３１に取り付けられた制御部品のうち容量の大きなコンデンサやパワートランジスタなどの強電部品７３２が室内ファンモータ７２と軸方向に並ぶように配置されており、側面視において室内ファンモータ７２と電装品箱７３とが重なるように配置されている。また、電装品箱７３の上面は、下部ケーシング７０に支持された状態では、室内ファンモータ７２の頂上部分、すなわちクロスフローファン７１の頂上部分と略同じ高さに位置している。
【００５４】
このように、室内ファンモータ７２、電装品箱７３、下部ケーシング７０の全ての部分が、下部ケーシング７０に支持された状態のクロスフローファン７１の頂上部分の高さ以下に位置しており、下部ユニット７は、全体として高さ方向に比較的寸法の小さい形状となっている。
【００５５】
〔特徴〕
（１）
この空気調和機１の室内機２では、室内熱交換器５０がクロスフローファン７１を覆うように略逆Ｖ字型の断面形状を有するように形成されており、室内熱交換器５０の前側の下端と後側の下端とが、クロスフローファン７１の中心軸と略同じ高さに位置している。このため、室内熱交換器５０の高さ位置が比較的低くなっている。従って、室内熱交換器５０を備える空気調和機１の室内機２の高さ方向の寸法も小さくなっている。
【００５６】
（２）
この空気調和機１の室内機２では、室内熱交換器５０がクロスフローファン７１の前方、上方および後方を覆うように配置されており、クロスフローファン７１を囲むように配置されている。このため、クロスフローファン７１によって生じる空気が十分に室内熱交換器５０を通る。また、前面吸込み口６０１と天面吸込み口６１１とでは、天面吸込み口６１１の方が吸込み面積が大きくなっており、天面吸込み口６１１は上部ケーシング６の天面部６１の前側から後側にかけて設けられている。このため、天面吸込み口６１１から吸い込まれた空気が十分に室内機２の内部の後側まで行き届く。従って、この空気調和機１の室内機２では、クロスフローファン７１の後方を覆う第４室内熱交換器５０ｄを通る空気の量が十分に確保されている。以上のように、この空気調和機１の室内機２では、クロスフローファン７１の後方を覆う第４室内熱交換器５０ｄでさえも十分な量の空気が通るようになっている。
【００５７】
（３）
この空気調和機１の室内機２では、室内熱交換器５０の前側の下端と後側の下端とは、略同じ高さに位置している。このため、室内熱交換器５０全体の高さ方向の寸法が比較的小さくなっている。例として、図１０（ａ）に、前側の下端と後側の下端とが同じ高さになっている室内熱交換器５０を示し、図１０（ｂ）に、前側の下端と後側の下端とが異なる高さになっている仮想室内熱交換器５００を示す。仮想室内熱交換器５００は、室内熱交換器５０と側面視において同じ総長さを有しており、前側の下端が後側の下端よりも低くなっている。仮想室内熱交換器５００の第１室内熱交換器５００ａと第２室内熱交換器５００ｂとは、室内熱交換器５０の第１室内熱交換器５０ａと第２室内熱交換器５０ｂと同じ形状であり、同じ長さを有している。仮想室内熱交換器５００の第３室内熱交換器５００ｃは、室内熱交換器５０の第３室内熱交換器５０ｃと同様に、高さ方向に水平に配置されているが、室内熱交換器５０の第３室内熱交換器５０ｃの約１．５倍の高さ方向の長さを有している。仮想室内熱交換器５００の第４室内熱交換器５００ｄは、室内熱交換器５０の第４室内熱交換器５０ｄと同様に、高さ方向に水平に配置されているが、室内熱交換器５０の第４室内熱交換器５０ｄの約半分の高さ方向の長さを有している。従って、第１室内熱交換器５０ａ、第２室内熱交換器５０ｂ、第３室内熱交換器５０ｃおよび第４室内熱交換器５０ｄの側面視における長さを合計した室内熱交換器５０の総長さと、第１室内熱交換器５００ａ、第２室内熱交換器５００ｂ、第３室内熱交換器５００ｃおよび第４室内熱交換器５００ｄの側面視における長さを合計した仮想室内熱交換器５００の総長さとは略同じになっている。
【００５８】
図１０（ａ）および図１０（ｂ）を比較すれば分かるように、側面視において室内熱交換器５０の総長さと仮想室内熱交換器５００の総長さが同じであるならば、室内熱交換器５０全体の高さ方向の寸法Ｈ１は、仮想室内熱交換器５００全体の高さ方向の寸法Ｈ２よりも小さい。このため、室内熱交換器５０を備える空気調和機１の室内機２の高さ方向の寸法も比較的小さくなっている。
【００５９】
（４）
この空気調和機１の室内機２では、室内熱交換器５０は前後に対称な形状に形成されている。このため、前後で共通の形状を有する熱交換器を組み合わせて、室内熱交換器５０を構成することができる。これにより、室内熱交換器５０の製造コストを削減することができる。具体的には、第１室内熱交換器５０ａおよび第２室内熱交換器５０ｂ、または第３室内熱交換器５０ｃおよび第４室内熱交換器５０ｄをそれぞれ共通形状のフィンや固定板を用いて製造することができ、部品の共有化によるコストダウンが可能となる。
【００６０】
また、共通の製造装置を用いて第１室内熱交換器５０ａと第２室内熱交換器５０ｂおよび第３室内熱交換器５０ｃと第４室内熱交換器５０ｄを製造することができる。ここでいう製造装置とは、プレス機、フィン型、配管挿入機、拡管機、ロウ付け機、精密試験機、乾燥機、運搬機などをいう。
【００６１】
このように、この空気調和機群の製造方法では、室内熱交換器５０の製造コストを低減することができる。
【００６２】
なお、室内熱交換器５０が前後で完全に同一の形状を有するものでなくても、概ね同一の形状を有するものであれば、製造装置および製造工程の共通化は可能である。
【００６３】
〔他の実施形態〕
上記の実施形態では、室内熱交換器５０の下端はクロスフローファン７１の中心軸と略同じ高さに位置しているが、室内熱交換器５０の下端の位置は、これに限られるものではなく、クロスフローファン７１の頂上部分の高さ以下であれば、クロスフローファン７１の中心軸と異なる高さの位置であってもよい。
【産業上の利用可能性】
【００６４】
本発明は、空気調和機の室内機の高さ方向の寸法を小さくすると共に、送風ファンの後方を覆う熱交換器を通る空気の量を十分に確保することができる効果を有し、空気調和機の室内機として有用である。
【図面の簡単な説明】
【００６５】
【図１】空気調和機の外観図。
【図２】冷媒回路の構成図。
【図３】（ａ）室内機の正面図。（ｂ）室内機の右側面図。
【図４】上部ケーシングが外された室内機の右側面図。
【図５】室内機の右側面断面図。
【図６】上部ケーシングが外された室内機の右側部分の上面図。
【図７】下部ユニットの右側面図。
【図８】下部ユニットの右側部分の上面図。
【図９】下部ユニットの右側面断面図。
【図１０】下端が同じ高さに位置する室内熱交換器の高さ方向の寸法と、下端が異なる高さに位置する室内熱交換器の高さ方向の寸法との比較を表す図。
【符号の説明】
【００６６】
１          空気調和機
２          室内機
６          上部ケーシング（ケーシング）
５０        室内熱交換器（熱交換器）
５０ｃ      第３室内熱交換器（前部）
５０ｄ      第４室内熱交換器（後部）
７１        クロスフローファン（送風ファン）
６０１      前面吸込み口
６１１      天面吸込み口
【図１】
2008180506.tif 000003
【図２】
2008180506.tif 000004
【図３】
2008180506.tif 000005
【図４】
2008180506.tif 000006
【図５】
2008180506.tif 000007
【図６】
2008180506.tif 000008
【図７】
2008180506.tif 000009
【図８】
2008180506.tif 000010
【図９】
2008180506.tif 000011
【図１０】
2008180506.tif 000012